(57)【要約】      （修正有）【課題】展開させ、又は収めることが可能であり、異なる厚さを有する壁に安定的に掛けることが可能な伸縮式物干し台を提供する。【解決手段】壁面６０に設けることが可能であり、その両端にスライド穴が設けられている本体１０と、それぞれ本体１０の両端に位置し、互いに平行するように設けられ、複数の第１枠２１と、複数の第２枠２２と、を含み、これらの第１枠２１は互いに枢着し、これらの第２枠２２は互いに枢着している二つの伸縮具２０と、その両端がそれぞれ二つの伸縮具２０に連接され、水平状態を呈する少なくとも一つの掛けロッドと、その両端がそれぞれ連接部と掛け部とを有し、連接部は、本体１０の上部に脱着可能に連接され、掛け部は、本体１０のこれらの伸縮具２０の反対側に位置し、本体とから、壁面６０の上端に挟み可能な挟み空間が形成されている少なくとも一つの掛け具４０と、を含む。【選択図】図４
0003187793.tif 000002
【実用新案登録請求の範囲】
【請求項１】
壁面に設けることが可能であり、その両端にスライド穴が設けられており、前記各スライド穴は、縦方向に沿って延びており、その上方に枢着部が設けられている本体と、
それぞれ前記本体の両端に位置しており、互いに平行するように設けられており、複数の第１枠と、複数の第２枠と、を含み、これらの前記第１枠は互いに枢着しており、これらの前記第２枠は互いに枢着しており、前記各第１枠の中央の部位は、それに対応する前記第２枠の中央の部位に枢着されており、最も前記本体に近接する前記各第１枠は、前記本体に最も近接する一端が前記枢着部のうちの一つに枢着されており、最も前記本体に近接する前記各第２枠は、前記本体に最も近接する一端がスライド部を有し、前記スライド部が前記スライド穴のうちの一つに摺動可能に設けられており、前記各スライド部は、前記スライド穴の上にある第１位置と前記スライド穴の下にある第２位置との間に摺動することが可能であり、前記スライド部が前記第１位置に位置しているときには、前記各第１枠が互いに離れており、前記各第２枠も互いに離れており、全体が展開状態となり、前記スライド部が前記第２位置に位置しているときには、前記各第１枠が互いに近接しており、前記各第２枠も互いに近接しており、全体が収め状態となる二つの伸縮具と、
その両端がそれぞれ前記二つの伸縮具に連接されており、水平状態を呈する少なくとも一つの掛けロッドと、
その両端がそれぞれ連接部と掛け部とを有し、前記連接部は、前記本体の上部に脱着可能に連接されており、水平である第１方向に沿って前記本体に対して移動することが可能であり、前記掛け部は、前記本体のこれらの前記伸縮具の反対側に位置しており、前記本体とから、壁面の上端に挟み可能な挟み空間が形成されており、前記連接部が前記第１方向に沿って前記本体へ移動しているときには、前記掛け部から前記本体までの距離が小さくなり、前記挟み空間の幅も小さくなり、前記連接部が前記第１方向に沿って前記本体から離れているときには、前記掛け部から前記本体までの距離が大きくなり、前記挟み空間の幅も大きくなる少なくとも一つの掛け具と、を含み、
前記本体の上部は接合部を有し、前記接合部は複数の接合位置を含み、これらの前記接合位置は、第２方向に沿って距離を置いて設けられており、前記第２方向は、水平を呈し、前記第１方向に垂直しており、前記掛け具の前記連接部は、前記接合位置のうちの一つに選択的に位置して、前記接合部と連接することが可能であることを特徴とする伸縮式物干し台。
【請求項２】
前記掛け具は、ほぼＬ字形を呈し、互いに垂直している、第１セクションと、第２セクションと、を有し、前記第１セクションに前記連接部が形成されており、前記第１セクションは前記本体に垂直しており、前記第２セクションに前記掛け部が形成されており、前記第２セクションは前記本体に平行しており、前記連接部は第１スライド穴を有し、前記第１スライド穴の延び方向は、前記第１セクションの延び方向に平行しており、前記本体の前記接合部は長穴であり、前記長穴の延び方向は、前記第１スライド穴の延び方向に垂直しており、第１固定具は、前記第１スライド穴に移動可能に設けられており、前記長穴に移動可能に挿通されており、これにより、前記本体に前記掛け具を固定することが可能であることを特徴とする、請求項１に記載の伸縮式物干し台。
【請求項３】
前記掛け具の前記第１セクションと前記第２セクションとの前記本体に面している面に、緩衝パッドがそれぞれ設けられており、前記各緩衝パッドは軟性材料を採用することを特徴とする、請求項２に記載の伸縮式物干し台。
【請求項４】
更に、少なくとも一つの押付具を含み、前記押付具は、前記本体のこれらの前記伸縮具から遠ざかった側に位置しており、前記押付具の両端は、定位部と、押付部と、をそれぞれ有し、前記定位部は、前記本体の底端に移動可能で脱着可能に連接されており、前記押付部は、前記押付具の前記本体から遠ざかった一端に位置しており、前記定位部を前記本体に対して移動することにより、前記押付部と前記本体の間の距離を変化することが可能であることを特徴とする、請求項１に記載の伸縮式物干し台。
【請求項５】
前記押付具は、互いに垂直するように連接している、第１ブロックと、第２ブロックと、を含み、前記第１ブロックの延び方向は前記本体に垂直しており、前記第１ブロックに前記連接部が形成されており、前記第２ブロックは前記本体に平行しており、前記押付部は、前記第２ブロックの前記本体から遠ざかった面に位置しており、前記連接部は第２スライド穴を含み、前記第２スライド穴の延び方向は、前記第１ブロックの延び方向に平行しており、前記本体の底端に少なくとも一つの固定穴が形成されており、第２固定具は、前記第２スライド穴に摺動可能に設けられており、前記固定穴を挿通しており、これにより、前記本体に前記押付具を固定することが可能であることを特徴とする、請求項４に記載の伸縮式物干し台。
【請求項６】
前記第２ブロックは、前記第１ブロックから遠ざかった一端の幅がより大きいため、ほぼＴ字形を呈し、前記押付部は、前記第２ブロックの幅がより広い区域に位置していることを特徴とする、請求項５に記載の伸縮式物干し台。
【請求項７】
前記本体は複数の固定穴を有し、これらの前記固定穴は、前記押付具の前記第２ブロックの延び方向に垂直する水平方向に沿って、距離を置いて設けられており、前記第２固定具は、前記固定穴のうちの一つに選択的に挿通して固定されていることを特徴とする、請求項５に記載の伸縮式物干し台。
【請求項８】
前記押付具の前記第１ブロックの前記本体に向いている面と、前記第２ブロックの前記本体から遠ざかった面とに、緩衝パッドがそれぞれ設けられており、前記各緩衝パッドは軟性材料を採用することを特徴とする、請求項５から請求項７の何れかの一つに記載の伸縮式物干し台。
【考案の詳細な説明】
【技術分野】
【０００１】
本考案は、物干し台に関し、特に、伸縮式物干し台に関するものである。
【背景技術】
【０００２】
一般的には、洗濯された衣服やタオルは、ハンガーを介して物干し竿又は物干しロープに掛けられるが、物干し竿又は物干しロープの取付が容易ではなく、そしてバルコニーに洗濯された衣服やタオルを干すと、見栄えが良くない。
【０００３】
上記の問題を解決するために、例えば特許文献１及び特許文献２の伸縮式物干し竿受けが提案された。このような伸縮式物干し竿受けは、二つの伸縮具が互いに平行するように設けられており、前記各伸縮具の一端が壁などに固定されており、前記伸縮具を展開したときに、前記伸縮具の上部に物干し竿を設けて衣服などを干すことが可能であり、なお、前記伸縮具を利用したくないときに、物干し竿を外して前記伸縮具を収めることが可能である。また、特許文献３が提案された。このようなものは、伸縮具は、更に、コ字形を呈する掛け具を有する。前記掛け具は、前記伸縮具の延び方向の反対側に位置しており、壁の上部に掛けることが可能である。このように、従来のもののように釘を打ち込んだり、螺子を締結したりする必要はなく、脱着が容易となる。しかし、前記掛け具の幅が一定であるため、壁の厚さが前記掛け具の幅に合わないと、前記壁に前記掛け具を掛けることができない。なお、前記掛け具の幅が壁の厚さよりも大きい場合には、物干し竿受け全体が不安定的となる。一方、二つの前記掛け具の位置は、伸縮具の位置に直接に対応しているため、調整することができない。このように、壁面に特殊な造形がある場合には、障害物があるため、使用することができない。一方、バルコニーのウォールの上部には、より厚い手摺などが設けられているため、バルコニーのウォールの下部はバルコニーのウォールの上部よりも薄い。このように、物干し竿受けの下方は、バルコニーのウォールの下部に良く押付けることができないため、バルコニーのウォールの下部に傾斜して、物干し竿受け全体が不安定となる。
【先行技術文献】
【特許文献】
【０００４】
【特許文献１】台湾特許第３１２２４９号公報
【特許文献２】台湾特許第２９９６１５号公報
【特許文献３】日本特開２００５-１４３５５６Ａ号公報
【考案の概要】
【考案が解決しようとする課題】
【０００５】
本考案の主な目的は、展開させ、又は収めることが可能であり、異なる厚さを有する壁に安定的に掛けることが可能な伸縮式物干し台を提供することにある。
【課題を解決するための手段】
【０００６】
本考案の伸縮式物干し台によると、壁面に設けることが可能であり、その両端にスライド穴が設けられており、各スライド穴は、縦方向に沿って延びており、その上方に枢着部が設けられている本体と、それぞれ本体の両端に位置しており、互いに平行するように設けられており、複数の第１枠と、複数の第２枠と、を含み、これらの第１枠は互いに枢着しており、これらの第２枠は互いに枢着しており、各第１枠の中央の部位は、それに対応する第２枠の中央の部位に枢着されており、最も本体に近接する各第１枠は、本体に最も近接する一端が枢着部のうちの一つに枢着されており、最も本体に近接する各第２枠は、本体に最も近接する一端がスライド部を有し、スライド部がスライド穴のうちの一つに摺動可能に設けられており、各スライド部は、スライド穴の上にある第１位置とスライド穴の下にある第２位置との間に摺動することが可能であり、スライド部が第１位置に位置しているときには、各第１枠が互いに離れており、各第２枠も互いに離れており、全体が展開状態となり、スライド部が第２位置に位置しているときには、各第１枠が互いに近接しており、各第２枠も互いに近接しており、全体が収め状態となる二つの伸縮具と、その両端がそれぞれ二つの伸縮具に連接されており、水平状態を呈する少なくとも一つの掛けロッドと、その両端がそれぞれ連接部と掛け部とを有し、連接部は、本体の上部に脱着可能に連接されており、水平である第１方向に沿って本体に対して移動することが可能であり、掛け部は、本体のこれらの伸縮具の反対側に位置しており、本体とから、壁面の上端に挟み可能な挟み空間が形成されており、連接部が第１方向に沿って本体へ移動しているときには、掛け部から本体までの距離が小さくなり、挟み空間の幅も小さくなり、連接部が第１方向に沿って本体から離れているときには、掛け部から本体までの距離が大きくなり、挟み空間の幅も大きくなる少なくとも一つの掛け具と、を含み、
本体の上部は接合部を有し、接合部は複数の接合位置を含み、これらの接合位置は、第２方向に沿って距離を置いて設けられており、第２方向は、水平を呈し、第１方向に垂直しており、掛け具の連接部は、接合位置のうちの一つに選択的に位置して、接合部と連接することが可能であることを特徴とする。
【０００７】
本考案の伸縮式物干し台によると、掛け具は、ほぼＬ字形を呈し、互いに垂直している、第１セクションと、第２セクションと、を有し、第１セクションに連接部が形成されており、第１セクションは本体に垂直しており、第２セクションに掛け部が形成されており、第２セクションは本体に平行しており、連接部は第１スライド穴を有し、第１スライド穴の延び方向は、第１セクションの延び方向に平行しており、本体の接合部は長穴であり、長穴の延び方向は、第１スライド穴の延び方向に垂直しており、第１固定具は、第１スライド穴に移動可能に設けられており、長穴に移動可能に挿通されており、これにより、本体に掛け具を固定することが可能であることを特徴とする。
【０００８】
本考案の伸縮式物干し台によると、掛け具の第１セクションと第２セクションとの本体に面している面に、緩衝パッドがそれぞれ設けられており、各緩衝パッドは軟性材料を採用することを特徴とする。
【０００９】
本考案の伸縮式物干し台によると、更に、少なくとも一つの押付具を含み、押付具は、本体のこれらの伸縮具から遠ざかった側に位置しており、押付具の両端は、定位部と、押付部と、をそれぞれ有し、定位部は、本体の底端に移動可能で脱着可能に連接されており、押付部は、押付具の本体から遠ざかった一端に位置しており、定位部を本体に対して移動することにより、押付部と本体の間の距離を変化することが可能であることを特徴とする。
【００１０】
本考案の伸縮式物干し台によると、押付具は、互いに垂直するように連接している、第１ブロックと、第２ブロックと、を含み、第１ブロックの延び方向は本体に垂直しており、第１ブロックに連接部が形成されており、第２ブロックは本体に平行しており、押付部は、第２ブロックの本体から遠ざかった面に位置しており、連接部は第２スライド穴を含み、第２スライド穴の延び方向は、第１ブロックの延び方向に平行しており、本体の底端に少なくとも一つの固定穴が形成されており、第２固定具は、第２スライド穴に摺動可能に設けられており、固定穴を挿通しており、これにより、本体に押付具を固定することが可能であることを特徴とする。
【００１１】
本考案の伸縮式物干し台によると、第２ブロックは、第１ブロックから遠ざかった一端の幅がより大きいため、ほぼＴ字形を呈し、押付部は、第２ブロックの幅がより広い区域に位置していることを特徴とする。
【００１２】
本考案の伸縮式物干し台によると、本体は複数の固定穴を有し、これらの固定穴は、押付具の第２ブロックの延び方向に垂直する水平方向に沿って、距離を置いて設けられており、第２固定具は、固定穴のうちの一つに選択的に挿通して固定されていることを特徴とする。
【００１３】
本考案の伸縮式物干し台によると、押付具の第１ブロックの本体に向いている面と、第２ブロックの本体から遠ざかった面とに、緩衝パッドがそれぞれ設けられており、各緩衝パッドは軟性材料を採用することを特徴とする。
【考案の効果】
【００１４】
本考案の伸縮式物干し台によれば、展開させ、又は収めることが可能であり、異なる厚さを有する壁に安定的に掛けることが可能であるという効果を有する。
【図面の簡単な説明】
【００１５】
【図１】本考案の一実施例を示す分解斜視図である。
【図１Ａ】本考案の一実施例の別の視点から見た斜視図である。
【図２】本考案の一実施例の収め状態を示す斜視図である。
【図３】本考案の一実施例の展開状態を示す斜視図である。
【図４】本考案の一実施例の使用状態を示す模式図である。
【図５】本考案の一実施例の展開状態を示す側面図である。
【図６】本考案の一実施例の収め状態を示す側面図である。
【考案を実施するための形態】
【００１６】
以下、本考案の実施の形態を図面に基づいて説明する。
図１から図６及び図１Ａを参照する。図１は本考案の一実施例を示す分解斜視図であり、図１Ａは本考案の一実施例の別の視点から見た斜視図であり、図２は本考案の一実施例の収め状態を示す斜視図であり、図３は本考案の一実施例の展開状態を示す斜視図であり、図４は本考案の一実施例の使用状態を示す模式図であり、図５は本考案の一実施例の展開状態を示す側面図であり、図６は本考案の一実施例の収め状態を示す側面図である。本考案の一実施例の伸縮式物干し台は、本体１０と、二つの伸縮具２０と、少なくとも一つの掛けロッド３０と、少なくとも一つの掛け具４０と、少なくとも一つの押付具５０と、を含む。
【００１７】
本体１０は、壁面６０に設けることが可能であり、その両端にスライド穴１２が設けられている。各スライド穴１２は、本体１０に底部に近接しており、縦方向に沿って延びており、その上方に枢着部１１が設けられている。各枢着部１１は、本体１０に上部に近接している。
【００１８】
各伸縮具２０は、それぞれ本体１０の両端に位置しており、互いに平行するように設けられており、複数の第１枠２１と、複数の第２枠２２と、を含む。これらの第１枠２１は互いに枢着しており、これらの第２枠２２も互いに枢着している。各第１枠２１の中央の部位は、それに対応する第２枠２２の中央の部位に枢着されている。最も本体１０に近接する各第１枠２１は、本体１０に最も近接する一端が枢着部１１のうちの一つに枢着されている。最も本体１０に近接する各第２枠２２は、本体１０に最も近接する一端がスライド部２２１を有し、スライド部２２１がスライド穴１２のうちの一つに摺動可能に設けられている。各スライド部２２１は、スライド穴１２の上にある第１位置とスライド穴１２の下にある第２位置の間に摺動することが可能である。スライド部２２１が第１位置に位置しているときには、各第１枠２１が互いに離れており、各第２枠２２も互いに離れており、全体が展開状態となる。スライド部２２１が第２位置に位置しているときには、各第１枠２１が互いに近接しており、各第２枠２２も互いに近接しており、全体が収め状態となる。
【００１９】
掛けロッド３０は、その両端がそれぞれ二つの伸縮具２０に連接されており、水平状態を呈する。掛けロッド３０の両端は、各伸縮具２０の何れかの一対の互いに枢着している第１枠２１と第２枠２２の枢着箇所、各伸縮具２０の何れかの二つの互いに枢着している第１枠２１の枢着箇所、又は各伸縮具２０の何れかの二つの互いに枢着している第２枠２２の枢着箇所に、それぞれ連接されていることが好ましい。複数の掛けロッド３０を含み、各掛けロッド３０は、それぞれ上記の相違する位置に設けられており、その高さが相違して互いに平行ように配列されていることがもっと良い。
【００２０】
掛け具４０は、その両端がそれぞれ連接部と掛け部とを有する。前記連接部は、本体１０の上部に脱着可能に連接されており、水平である第１方向に沿って本体１０に対して移動することが可能である。前記掛け部は、本体１０のこれらの伸縮具２０の反対側に位置しており、本体１０とから、壁面６０の上端に挟み可能な挟み空間が形成されている。前記連接部が前記第１方向に沿って本体１０へ移動しているときには、前記掛け部から本体１０までの距離が小さくなり、前記挟み空間の幅も小さくなる。前記連接部が前記第１方向に沿って本体１０から離れているときには、前記掛け部から本体１０までの距離が大きくなり、前記挟み空間の幅も大きくなる。
【００２１】
押付具５０は、本体１０のこれらの伸縮具２０から遠ざかった側に位置している。押付具５０の両端は、定位部と、押付部と、をそれぞれ有する。前記定位部は、本体１０の底端に移動可能で脱着可能に連接されている。前記押付部は、押付具５０の本体１０から遠ざかった一端に位置している。前記定位部を本体１０に対して移動することにより、前記押付部と本体１０の間の距離を変化することが可能である。
【００２２】
本考案の実施例では、掛け具４０は、ほぼＬ字形を呈し、互いに垂直している、第１セクション４１と、第２セクション４２と、を有する。第１セクション４１に前記連接部が形成されている。第１セクション４１は本体１０に垂直している。第２セクション４２に前記掛け部が形成されている。第２セクション４２は本体１０に平行している。前記連接部は第１スライド穴４１１を有する。第１スライド穴４１１の延び方向は、第１セクション４１の延び方向に平行している。本体１０の前記接合部は長穴１３である。長穴１３の延び方向は、第１スライド穴４１１の延び方向に垂直している。第１固定具４３は、第１スライド穴４１１に移動可能に設けられており、長穴１３に移動可能に挿通されている。これにより、本体１０に掛け具４０を固定することが可能である。
【００２３】
一方、押付具５０は、互いに垂直するように連接している、第１ブロック５１と、第２ブロック５２と、を含む。第１ブロック５１の延び方向は本体１０に垂直している。第１ブロック５１に前記連接部が形成されている。第２ブロック５２は本体１０に平行している。前記押付部は、第２ブロック５２の本体１０から遠ざかった面に位置している。前記連接部は第２スライド穴５１１を含む。第２スライド穴５１１の延び方向は、第１ブロック５１の延び方向に平行している。本体１０の底端に少なくとも一つの固定穴１４が形成されている。第２固定具５３は、第２スライド穴５１１に摺動可能に設けられており、固定穴１４を挿通している。これにより、本体１０に押付具５０を固定することが可能である。詳細的には、第２ブロック５２は、第１ブロック５１から遠ざかった一端の幅がより大きいため、ほぼＴ字形を呈する。前記押付部は、第２ブロック５２の幅がより広い区域に位置している。本体１０は複数の固定穴１４を有し、これらの固定穴１４は、前記押付具の第２ブロック５２の延び方向に垂直する水平方向に沿って、距離を置いて設けられており、第２固定具５３は、固定穴１４のうちの一つに選択的に挿通して固定されていることが好ましい。
【００２４】
また、本考案の伸縮式物干し台が壁面に傷付けることを回避するために、掛け具４０の第１セクション４１と第２セクション４２との本体１０に面している面に、緩衝パッド４１２、４２１がそれぞれ設けられており、押付具５０の第１ブロック５１の本体１０に向いている面と、第２ブロック５２の本体１０から遠ざかった面とに、緩衝パッド５１２、５２１がそれぞれ設けられている。緩衝パッド４１２、４２１、５１２、５２１は軟性材料を採用することが好ましい。
【００２５】
次に、本考案の伸縮式物干し台の使用方法を説明する。まず、第１固定具４３と掛け具４０を緩めることにより、第１固定具４３は第１スライド穴４１１を移動することが可能であり、壁面６０の厚さよりも大きいように、掛け具４０と本体１０の間の距離を調整して、壁面６０の上部に掛け具４０を掛けて、最後に、第１固定具４３を適当の位置に移動して締結する。このように、壁面６０の上部に掛け具４０を安定的に掛けることが可能である。この後、二つの伸縮具２０を展開することにより、掛けロッド３０が外側に移動される。このように、掛けロッド３０にハンガーやタオルなどを掛けることが可能である。なお、本考案の伸縮式物干し台を利用したくない場合には、二つの伸縮具２０を壁面６０へ押さえると、本来のスペースを利用することが可能である。
【００２６】
また、第１固定具４３は、本体１０に対して前記第１方向に沿って移動して前記挟み空間を調整することが可能である他、前記第２方向に沿って移動することにより、掛け具４０の本体１０に対する位置を調整することが可能である。掛け具４０が二つある場合には、二つの掛け具４０の間の距離を調整することにより、壁面の上部にある障害物を避けることが可能である。
【００２７】
また、本考案の押付具５０は壁面６０に延びることが可能である。壁面６０の上部の厚さがより大きくて、壁面６０の下部の厚さがより小さい場合には、押付具５０が壁面６０に確実に押付けることが可能である。このように、本考案の伸縮式物干し台は、壁面６０の下部に傾斜し、又は伸縮式物干し台全体が不安定的となることはない。押付具５０を調整することが可能であるため、押付具５０は壁面６０の下部の厚さに十分に対応することが可能である。そして押付具５０を使用したくないときには、押付具５０を直接に取外すことが可能である。
【００２８】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２９】
本考案は、物干し台に適用することができる。
【符号の説明】
【００３０】
１０：本体
１１：枢着部
１２：スライド穴
１３：長穴
１４：固定穴
２０：伸縮具
２１：第１枠
２２：第２枠
３０：掛けロッド
４０：掛け具
４１：１セクション
４２：第２セクション
４３：第１固定具
５０：押付具
５１：第１ブロック
５２：第２ブロック
５３：第２固定具
６０：壁面
２２１：スライド部
４１１：第１スライド穴
４１２：緩衝パッド
４２１：緩衝パッド
５１１：第２スライド穴
５１２：緩衝パッド
５２１：緩衝パッド
【図１】
0003187793.tif 000003
【図１Ａ】
0003187793.tif 000004
【図２】
0003187793.tif 000005
【図３】
0003187793.tif 000006
【図４】
0003187793.tif 000007
【図５】
0003187793.tif 000008
【図６】
0003187793.tif 000009